(57)【要約】【課題】基礎に柱を容易かつ確実に連結できる連結金具およびこの金具を使用した基礎と柱の連結構造を提供する。【解決手段】基礎１０の上面に連結金具１を設置し、基礎１０の上面から突出するアンカー１２の上端部を、アンカー挿通孔４に挿通したうえで、アンカー１２の上端部にナット１３を螺合して締め付け、また、連結金具１の上面に柱１５を立設し、連結金具１のねじ孔４に螺合された柱支持ボルト１６を柱孔１５ａに挿入するとともに、この柱孔１５ａの内壁と柱支持ボルト１６との間に接着剤１７を充填することによって、連結金具１を介して基礎１０に柱１５を容易かつ確実に連結できる。【選択図】図２
2008175020.tif 000002
【特許請求の範囲】
【請求項１】
基礎に柱を連結する際に使用される連結金具であって、
基礎の上面または基礎の上面に設置された土台の上面に設置される箱状の金具本体と、この金具本体の底壁に形成されて、基礎の上面から突出するアンカーの上端部が挿通されるアンカー挿通孔と、
前記金具本体の上壁に形成されて、この上壁の上面に立設される柱に形成された柱孔に挿入される柱支持ボルトの下端部が螺合されるねじ孔と、
前記金具本体の側面に形成された開口部と、
前記金具本体の上壁に形成されて、前記ねじ孔から前記上壁の縁部まで延在するスリット部とを備えていることを特徴とする連結金具。
【請求項２】
請求項１に記載の連結金具において、
前記金具本体の上壁に、前記柱の下端面にねじ込まれるビスが挿通するビス孔が形成されていることを特徴とする連結金具。
【請求項３】
請求項１に記載の連結金具を用いた基礎と柱の連結構造であって、
基礎の上面または基礎の上面に設置された土台の上面には、前記連結金具が設置されており、
この連結金具は、前記基礎の上面から突出するか、または基礎の上面から突出してさらに土台の上面から突出するアンカーの上端部が、前記連結金具のアンカー挿通孔に挿通されたうえで、該アンカーの上端部にナットを螺合して締め付けることによって、基礎の上面または土台の上面に固定されており、
前記連結金具の上面には柱が立設されており、
この柱は、前記連結金具のねじ孔に螺合された柱支持ボルトを前記柱の孔に挿入するとともに、この孔の内壁と前記柱支持ボルトとの間に接着剤を充填することによって、前記連結金具に固定されていることを特徴とする基礎と柱の連結構造。
【請求項４】
請求項２に記載の連結金具を用いた基礎と柱の連結構造であって、
基礎の上面または基礎の上面に設置された土台の上面には、前記連結金具が設置されており、
この連結金具は、前記基礎の上面から突出するか、または基礎の上面から突出してさらに土台の上面から突出するアンカーの上端部が、前記連結金具のアンカー挿通孔に挿通されたうえで、該アンカーの上端部にナットを螺合して締め付けることによって、基礎の上面または土台の上面に固定されており、
前記連結金具の上面には柱が立設されており、
この柱は、前記連結金具のねじ孔に螺合された柱支持ボルトを前記柱の孔に挿入するとともに、この孔の内壁と前記柱支持ボルトとの間に接着剤を充填し、さらに、連結金具のビス孔にビスを挿通して柱の下端面にねじ込むことによって、前記連結金具に固定されていることを特徴とする基礎と柱の連結構造。
【請求項５】
請求項３または４に記載の基礎と柱の連結構造において、
前記連結金具のねじ孔に螺合された柱支持ボルトの下端部には、ナットが螺合され、このナットは締め付けられて前記連結金具の上壁の下面に当接していることを特徴とする基礎と柱の連結構造。
【発明の詳細な説明】
【技術分野】
【０００１】
本発明は、基礎に柱を連結する際に使用される連結金具と、この連結具を用いた基礎と柱の連結構造に関する。
【背景技術】
【０００２】
基礎に柱を連結する連結構造の一例として、特許文献１に記載のものが知られている。この連結構造は、柱と土台・基礎の接合において、柱の先端部（下端部）に全ネジボルトを一定の長さねじ込むとともに、柱直下の基礎に土台面より離れた下方にボルト固定用の空間部を設け、該柱の全ネジボルトを土台と基礎を通して挿入し先端を基礎の前記空間部に到達させて締め付け、柱と土台・基礎を緊結するものである。
【特許文献１】特開平７−１９７５２６号公報
【発明の開示】
【発明が解決しようとする課題】
【０００３】
ところが、上記従来の技術では、例えば、住宅のリフォーム等の際に新たに柱を設ける場合に、柱の全ネジボルトを挿入するために、土台上面からこの土台と基礎を通して基礎の下端部まで達する孔を形成するとともに、基礎の側面に孔の下端部まで達する切欠き（ボルト固定用の空間部）を形成しなければならいので、この孔や切欠きの形成作業に非常に手間がかかるという課題があった。すなわち、土台上面から基礎の下端部まで達する孔を形成するには、木製の土台と、コンクリート製の基礎とでは、穴明け用の工具を取り替える必要あるとともに、基礎の下端部まで孔を深く形成する必要あるので、非常に手間がかかる。また、切欠きには、ボルトにナットを螺合してこれを締め付けるだけの作業スペースが必要となり、コンクリートにこのような比較的大きな切欠きを形成するのは非常に手間がかかる。
【０００４】
本発明は上記事情に鑑みてなされたものであり、基礎に柱を容易かつ確実に連結できる連結金具およびこの金具を使用した基礎と柱の連結構造を提供することを課題としている。
【課題を解決するための手段】
【０００５】
上記課題を解決するために、請求項１に記載の発明は、例えば図１〜図４に示すように、基礎１０に柱１５を連結する際に使用される連結金具１であって、
基礎１０の上面または基礎１０の上面に設置された土台１１の上面に設置される箱状の金具本体２と、この金具本体２の底壁２ａに形成されて、基礎１０の上面から突出するアンカー１２の上端部が挿通されるアンカー挿通孔３と、
前記金具本体２の上壁２ｂに形成されて、この上壁２ｂの上面に立設される柱１５に形成された柱孔１５ａに挿入される柱支持ボルト１６の下端部が螺合されるねじ孔４と、
前記金具本体２の側面に形成された開口部５と、
前記金具本体２の上壁２ｂに形成されて、前記ねじ孔４から前記上壁２ｂの縁部まで延在するスリット部６とを備えていることを特徴とする。
【０００６】
請求項１に記載の発明によれば、基礎１０の上面または基礎１０の上面に設置された土台１１の上面に連結金具１を設置し、前記基礎１０の上面から突出するか、または基礎１０の上面から突出してさらに土台１１の上面から突出するアンカー１２の上端部を、前記連結金具１のアンカー挿通孔４に挿通したうえで、該アンカー１２の上端部にナット１３を螺合して締め付けることによって、連結金具１を基礎１０の上面または土台１１の上面に固定できるとともに、基礎１０に強固に連結できる。このナット１３の締め付け作業は前記開口部５から工具を挿入して容易に行える。
また、連結金具１の上面に柱１５を立設し、前記連結金具１のねじ孔４に螺合された柱支持ボルト１６を前記柱１５の柱孔１５ａに挿入するとともに、この柱孔１５ａの内壁と前記柱支持ボルト１６との間に接着剤１７を充填することによって、柱１５を連結金具１に固定することができる。また、余剰の接着剤１７は前記スリット部１６に逃がすことができる。
したがって、従来のように、土台上面から基礎の下端部まで延びる深い孔や、基礎の側面に切欠きを形成することなく、連結金具１を介して基礎１０に柱１５を容易かつ確実に連結できる。
【０００７】
請求項２に記載の発明は、請求項１に記載の連結金具１において、
前記金具本体２の上壁２ｂに、前記柱１５の下端面にねじ込まれるビス１９が挿通するビス孔７が形成されていることを特徴とする。
【０００８】
請求項２に記載の発明によれば、請求項１と同様にして、連結金具１を介して基礎１０に柱１５を容易かつ確実に連結できるとともに、連結金具１のビス孔７にビス１９を挿通して柱１５の下端面にねじ込んで、柱１５を連結金具１に固定することによって、柱１５をより強固に連結金具１に固定できるととともに接着剤１７が硬化するまで間、柱１５を連結金具１に仮固定しておくことができる。
【０００９】
請求項３に記載の発明は、請求項１に記載の連結金具１を用いた基礎１０と柱１５の連結構造であって、
基礎１０の上面または基礎１０の上面に設置された土台１１の上面には、前記連結金具１が設置されており、
この連結金具１は、前記基礎１０の上面から突出するか、または基礎１０の上面から突出してさらに土台１１の上面から突出するアンカー１２の上端部が、前記連結金具１のアンカー挿通孔３に挿通されたうえで、該アンカー１２の上端部にナット１３を螺合して締め付けることによって、基礎１０の上面または土台１１の上面に固定されており、
前記連結金具１の上面には柱１５が立設されており、
この柱１５は、前記連結金具１のねじ孔４に螺合された柱支持ボルト１６を前記柱１５の柱孔１５ａに挿入するとともに、この柱孔１５ａの内壁と前記柱支持ボルト１６との間に接着剤１７を充填することによって、前記連結金具１に固定されていることを特徴とする。
【００１０】
請求項３に記載の発明によれば、連結金具１を基礎１０の上面または土台１１の上面に容易に固定することができるとともに、柱１５を連結金具１に容易に固定することができるので、従来のように、土台上面から基礎の下端部まで延びる深い孔や、基礎の側面に切欠きを形成することなく、連結金具１を介して基礎１０に柱１５を容易かつ確実に連結できる。
【００１１】
請求項４に記載の発明は、請求項２に記載の連結金具１を用いた基礎１０と柱１５の連結構造であって、
基礎１０の上面または基礎１０の上面に設置された土台１１の上面には、前記連結金具１が設置されており、
この連結金具１は、前記基礎１０の上面から突出するか、または基礎１０の上面から突出してさらに土台１１の上面から突出するアンカー１２の上端部が、前記連結金具１のアンカー挿通孔３に挿通されたうえで、該アンカー１２の上端部にナット１３を螺合して締め付けることによって、基礎１０の上面または土台１１の上面に固定されており、
前記連結金具１の上面には柱１５が立設されており、
この柱１５は、前記連結金１具のねじ孔４に螺合された柱支持ボルト１６を前記柱１５の柱孔１５ａに挿入するとともに、この柱孔１５ａの内壁と前記柱支持ボルト１６との間に接着剤１７を充填し、さらに、連結金具１のビス孔７にビス１９を挿通して柱１５の下端面にねじ込むことによって、前記連結金具１に固定されていることを特徴とする。
【００１２】
請求項４に記載の発明によれば、連結金具１を基礎１０の上面または土台１１の上面に容易に固定することができるとともに、柱１５を連結金具１に容易に固定することができるので、従来のように、土台上面から基礎の下端部まで延びる深い孔や、基礎の側面に切欠きを形成することなく、連結金具１を介して基礎１０に柱１５を容易かつ確実に連結できる。また、連結金具１のビス孔７にビス１９を挿通して柱１５の下端面にねじ込んで、柱１５を連結金具１に固定することによって、柱１５をより強固に連結金具１に固定できるととともに、接着剤が硬化するまで間、柱１５を連結金具１に仮固定しておくことができる。
【００１３】
請求項５に記載の発明は、請求項３または４に記載の基礎１０と柱１５の連結構造において、
前記連結金具１のねじ孔４に螺合された柱支持ボルト１６の下端部には、ナット１８が螺合され、このナット１８は締め付けられて前記連結金具１の上壁２ｂの下面に当接していることを特徴とする。
【００１４】
請求項５に記載の発明によれば、連結金具１のねじ孔４に螺合された柱支持ボルト１６の下端部に螺合しているナット１８が締め付けられて前記連結金具１の上壁２ｂの下面に当接しているので、柱支持ボルト１６を強固に連結金具１に固定できる。またナット１８に締め付け作業は前記開口部５から工具を挿入して容易に行える。
【発明の効果】
【００１５】
本発明によれば、基礎に柱を連結する際に使用される連結金具を、基礎の上面または基礎の上面に設置された土台の上面に設置される箱状の金具本体と、この金具本体の底壁に形成されて、基礎の上面から突出するアンカーの上端部が挿通されるアンカー挿通孔と、
前記金具本体の上壁に形成されて、この上壁の上面に立設される柱に形成された柱孔に挿入される柱支持ボルトの下端部が螺合されるねじ孔と、前記金具本体の側面に形成された開口部と、前記金具本体の上壁に形成されて、前記ねじ孔から前記上壁の縁部まで延在するスリット部とを備えた構成としたので、基礎の上面または基礎の上面に設置された土台の上面に連結金具を設置し、前記基礎の上面から突出するか、または基礎の上面から突出してさらに土台の上面から突出するアンカーの上端部を、前記連結金具のアンカー挿通孔に挿通したうえで、該アンカーの上端部にナットを螺合して締め付けることによって、連結金具を基礎の上面または土台の上面に固定することができる。
また、連結金具の上面に柱を立設し、前記連結金具のねじ孔に螺合された柱支持ボルトを前記柱の柱孔に挿入するとともに、この柱孔の内壁と前記柱支持ボルトとの間に接着剤を充填することによって、柱を連結金具に固定することができる。
したがって、従来のように、土台上面から基礎の下端部まで延びる深い孔や、基礎の側面に切欠きを形成することなく、連結金具を介して基礎に柱を容易かつ確実に連結できる。
【発明を実施するための最良の形態】
【００１６】
以下図面を参照して本発明の実施の形態について説明する。
図１は本発明に係る連結金具の一例を示す斜視図である。この図に示すように、連結金具１は、金具本体２、アンカー挿通孔３、ねじ孔４、開口部５、スリット部６、ビス孔７，７を備えている。
【００１７】
金具本体２は箱状に形成された鉄製のものであり、その一つの側面には開口部５が形成されている。この開口部５はほぼ側面全体に形成されたものであり、スパナやレンチ、ドライバー等の工具を金具本体２内に挿入できるようになっている。
前記アンカー挿通孔３は、金具本体２の底壁２ａの中央部に円形状に形成された孔である。前記ねじ孔４は、金具本体２の上壁２ｂの中央部に円形状に形成されたねじ孔であり、前記アンカー挿通孔３とほぼ同径に形成され、同軸に配置されている。
前記スリット部６は、前記上壁２ｂに形成されて、前記ねじ孔４から上壁２ｂの、前記開口部５側の縁部まで延在するものである。
前記ビス孔７，７は、前記上壁２ｂに形成されたもので、前記ねじ孔４を挟んで、上壁２ｂの対角方向に対称的に配置されている。
【００１８】
次に、上記構成の連結金具１を用いた基礎と柱の連結構造の一例について、図２〜図４を参照して説明する。
図２に示すように、基礎１０の上面には土台１１が設置されており、この土台１１の上面に、前記連結金具１が設置されている。基礎１０の内部には、アンカーボルト（アンカー）１２が埋設されており、このアンカーボルト１２の上端部は、土台１１を貫通して該土台１１の上面から突出している。
このアンカーボルト１２の上端部は、前記連結金具１のアンカー挿通孔３に挿通されており、このアンカーボルト１２の上端部にはナット１３が螺合されて締め付けられている。これによって、連結金具１は土台１１の上面に固定されている。なお、ナット１３の締め付け作業は、連結金具１の開口部５からスパナやレンチ等の工具を挿入することによって行う。
【００１９】
また、土台１の上面に固定された連結金具１の上面（上壁２ｂの上面）には、柱１５が立設されている。この柱１５には、その下端面から上方に延びる柱孔１５ａが、柱１５とほぼ同軸に形成されている。
一方、前記連結金具１のねじ孔４には、柱支持ボルト１６の下端部が螺合されており、その上端部は連結金具１の上面から突出して柱１５の柱孔１５ａに挿入されている。柱支持ボルト１６の直径は、柱孔１５ａの内径より小さくなっており、これによって、柱支持ボルト１６と柱孔１５ａの内壁との間には隙間Ｓが形成されている。そして、この隙間Ｓに接着剤１７が充填されている。この接着剤１７としては、例えばエポキシ系接着剤やウレタン系接着剤が使用される。なお、柱支持ボルト１６の直径は１６〜２６ｍｍであり、これに対して柱孔１５ａの内径は、前記隙間Ｓにエポキシ系接着剤１７を充填する場合に柱支持ボルト１６の直径より片側で１〜３ｍｍ程度大きく設定され、隙間Ｓにウレタン系接着剤１７を充填する場合に柱支持ボルト１６の直径より片側で０．５〜１．５ｍｍ程度大きく設定されている。
また、前記連結金具１のねじ孔４に螺合された柱支持ボルト１６の下端部には、ナット１８が螺合され、このナット１８は締め付けられて連結金具１の上壁２ｂの下面に当接している。なお、ナット１８の締め付け作業は、連結金具１の開口部５からスパナやレンチ等の工具を挿入することによって行う。
【００２０】
ここで、前記隙間Ｓに接着剤１７を充填する場合、柱１５の柱孔１５ａに予め接着剤１７を多めに充填しておき、ねじ孔４に螺合されて連結金具１の上面から突出している柱支持部ボルト１６を挿入することによって行う。このとき、隙間Ｓに充填された接着剤１７のうち余剰の接着剤１７は前記スリット部６に逃げていく。そして、スリット部６に逃げていく余剰の接着剤１７は、連結金具１の開口部５側から確認できる。
【００２１】
上記のようにして、連結金具１の上面に柱１５を立設するとともに、柱１５の柱孔１５ａに柱支持ボルト１６を挿入するとともに隙間Ｓに接着剤を充填した後、連結金具１のビス孔７，７にビス１９，１９が挿通されて柱１５の下端面にねじ込まれている。このようにビス１９，１９を柱１５の下端面にねじ込むことによって、前記接着剤１７が硬化するまで間、柱１５を連結金具１に仮固定しておくことができる。また、接着剤１７の硬化後は、柱１５の回転を防止できる。
【００２２】
また、本実施の形態では、図５に示すように、柱１５は、制振装置２０を支持する柱となっている。
この制振装置２０は、矩形枠状の矩形フレーム２１と、この矩形フレーム２１に対向して設けられた一対の支持部２４，２４と、この一対の支持部２４，２４間に配置され、かつ該一対の支持部２４，２４によって支持された制振機構とを備えている。
矩形フレーム２１は、左右一対の縦フレーム２２，２２と、上下一対の横フレーム２３，２３とを矩形枠状に組み立てて形成されたものであり、縦フレーム２２の端部と横フレーム２３の端部はピン結合されている。したがって、矩形フレーム２１は左右方向に力が作用すると平行四辺形を形成するようにして変形可能となっている。なお、縦フレーム２２、横フレーム２３は鉄やアルミニウム等の金属で形成されている。
また、横フレーム２３には、後述する制振部材２７を備えた制振ボックス２９が取り付けられている。
【００２３】
前記制振機構は、前記一対の支持部２４，２４によって支持されて、該一対の支持部２４，２４が変位した場合に、該一対の支持部２４，２４間の略中央部を中心として振れるように構成された振り子部材２６と、この振り子部材２６の端部と前記矩形フレーム２１との間に設けられた制振部材２７とを備えている。
【００２４】
振り子部材２６は鉄やアルミニウム等の金属製のものであり、上下に長尺な板状に形成され、長手方向を上下に向けて配置されている。振り子部材２６の中央部の左半分は、一方の支持部２４に軸２８によって回動自在に支持されており、右半分は他方の支持部２４に軸２８によって回動自在に支持されている。
このように、一対の支持部２４，２４の先端部によって振り子部材２６の長手方向中央部が軸２８，２８によって回動自在に支持されているので、この振り子部材２６は、地震等の振動によって矩形フレーム２１が変形して一対の支持部２４，２４が変位した場合に、該一対の支持部２４，２４間の略中央部を中心として左右に振れるように構成されている。
なお、前記軸２８，２８のうち一方の軸２８は左右にも若干スライドできるようになっている。
【００２５】
前記制振ボックス２９の内側面には、例えば高減衰ゴムによって形成された粘弾性体からなる制振部材２７が取り付けられており、この制振部材２７には、プレート（図示略）が固着されている。そして、このプレートが前記振り子部材２６の端部にボルトによって連結されている。したがって、制振部材２７は、プレートを介して振り子部材２６の端部に取り付けられ、また、制振ボックス２９を介して横フレーム２３に取り付けられている。
【００２６】
以上のような構成の制振装置２０では、地震等の振動によって建物躯体に変形が生じると、一対の柱１５，１５から矩形フレーム２１を介して、一対の支持部２４，２４が変位する。一対の支持部２４，２４が変位することによって、振り子部材２６が一対の支持部２４，２４間の略中央部を中心として振り子のように振れ、この振り子部材２６の端部は振れが増幅され、これによって、前記一対の支持部２４，２４の変位が増幅される。
したがって、振り子部材２６の端部と矩形フレーム２１との間に設けられている制振部材２７の変形を増幅できるので、建物躯体の小さな変形から制振機能を有効に働かせることができるとともに、この制振部材によって振り子部材の振動を制振し、これによって、矩形フレーム２１の振動を制振するようになっている。そして、この矩形フレーム２１を制振することによって、柱１５，１５を介して建物の振動を制振するようになっている。
【００２７】
次に、上記制振装置２０を柱１５，１５に取り付ける方法について図５を参照して説明する。
なお、制振装置２０は、既存の建物に後付けで取り付けるものとする。
また、基礎１０上に設置されている土台１１には、既存の柱３０，３０が立設固定されており、この一対の既存柱３０，３０の上端部は、水平梁３１に連結固定されている。したがって、一対の既存柱３０，３０と水平梁３１と土台１１とによって、正面視四角形状のスペースが設けられている。このスペースに制振装置２０を以下のようにして組み込む。
【００２８】
まず、右側の既存柱３０の内側（左側）において、連結金具１を基礎１０に連結する。つまり、図２に示すように、連結金具１を土台１１の上面に設置するとともに、この上面から突出するアンカーボルト１２の上端部を、連結金具１のアンカー挿通孔３に挿通したうえで、該アンカーボルト１２の上端部にナット１３を螺合して締め付けることによって、連結金具１を土台１１の上面に固定する。これによって。基礎１０に連結金具１が強固に連結される。
同様にして、左側の既存柱３０の内側（右側）において、連結金具１を基礎１０に連結する。これら左右一対の連結金具１，１間の距離は、立設すべき柱１５，１５間の距離に合わせて調整する。
【００２９】
次に、前記連結金具１，１にねじ孔４に、柱支持ボルト１６，１６の下端部を螺合するとともに、この下端部にナット１８を連結金具１，１の内部から螺合しておく。
次に、右側の既存柱３０の内側（左側）に、この既存柱３０と若干の隙間を持って柱１５を配置し、この柱１５を右側の連結金具１の上面に立設するとともに、連結金具１のねじ孔４に螺合された柱支持ボルト１６を柱１５の柱孔１５ａに相対的に挿入するとともに、この柱孔１５ａの内壁と柱支持ボルト１６との間に接着剤１７を充填する。なお、接着剤１７を充填する場合、柱１５の柱孔１５ａに予め接着剤１７を多めに充填しておき、柱支持部ボルト１６を挿入することによって行う。このとき、隙間Ｓに充填された接着剤１７のうち余剰の接着剤１７は連結金具１のスリット部６に逃げていく。そして、スリット部６に逃げていく余剰の接着剤１７は、連結金具１の開口部５側から確認できる。
次に、前記ナット１８を締め付けることによって、連結金具１の上壁２ｂの下面に当接させ、さらに、連結金具１のビス孔７，７にビス１９，１９を挿通して柱１５の下端面にねじ込む。このようにして、柱１５が連結金具１に強固に固定される。
【００３０】
次に、柱１５の下端部左側に腰壁３２を配置し、この腰壁３２を土台１１の上面に設置固定するとともに、該腰壁３２の右側端面を柱１５の左側面に固定する。なお、腰壁３２の固定は接着剤等によって行う。また、腰壁３２はＬＶＬ（単板積層材）によって構成されている。
【００３１】
次に、前記腰壁３２の上面に、制振装置２０の下部の横フレーム２３を設置固定するとともに、右側の縦フレーム２２を柱１５の左側面に当接して固定する。横フレーム２３を腰壁３２の上面に固定する場合、横フレームから腰壁３２にビスをねじ込むことによって行い、また、縦フレーム２２を柱１５の左側面に固定する場合、縦フレーム２２から柱１５にビスをねじ込むことによって行う。また、これとともに接着剤を併用してもよい。
【００３２】
次に、左側の既存柱３０の内側（右側）に、既存柱３０と若干の隙間をもって、柱１５を配置し、この柱１５を左側の連結金具１によって、土台１１に立設するとともに、基礎１０に連結する。また、この柱１５の右側面を、腰壁３２の左側面と、制振装置２０の左側の縦フレーム２２に当接固定する。柱１５の右側面を腰壁３２の左側面に固定する場合、接着剤によって行い、柱１５の左側面を縦フレーム２２に固定する場合、縦フレーム２２から柱１２にビスをねじ込むことによって行う。また、接着剤による接着を併用してもよい。
次に、左右の柱１５，１５と制振装置２０の上部の横フレーム２３によって囲まれた部位に、小壁３３を配置し、この小壁３３を左右の柱１５，１５と横フレーム２３に固定する。小壁３３を柱１５，１５に固定する場合、接着剤によって行い、小壁３３を横フレーム２３に固定する場合、横フレーム２３から小壁３３にビスをねじ込むことによって行う。なお、小壁３３は腰壁３２と同様に、ＬＶＬ（単板積層材）によって構成されている。
【００３３】
次に、左右の柱１５，１５と水平梁３１との間に、調整材３４，３４を配置し、この調整材３４，３４の下端面を柱１５，１５の上端面に接合するとともに、調整材３４，３４の上端面を水平梁３１の下面に接合する。これらの接合は、接着剤とともに、調整材３４と、柱１５あるいは水平梁３１とに斜めに釘打ちをすることによって行う。なお、調整材３４は柱１５と同断面の木製のものを使用する。
最後に、小壁３３と水平梁３１とをガセット３５によって接合する。ガセット３５は合板等によって形成された長方形板状のものであり、ガセット３５から釘を小壁３３や水平梁３１に打ち込むことによって、ガセット３５を小壁３３および水平梁３１に固定する。このようにして、制振装置２０を柱１５，１５に取り付けることによって、該制振装置２０を既存の建物に後付けで取り付けることができる。
【００３４】
本実施の形態によれば、基礎１０の上面から突出してさらに土台１１の上面から突出するアンカーボルト１２の上端部を、連結金具１のアンカー挿通孔３に挿通したうえで、該アンカーボルト１２の上端部にナット１３を螺合して締め付けることによって、連結金具１を土台１１の上面に固定することができるとともに、基礎１０に強固に連結できる。
また、連結金具１の上面に柱１５を立設し、連結金具１のねじ孔４に螺合された柱支持ボルト１６を柱１５の柱孔１５ａに挿入するとともに、この柱孔１５ａの内壁と柱支持ボルト１６との間に接着剤１７を充填することによって、柱１５を連結金具１に固定することができる。また、余剰の接着剤１７は前記スリット部６に逃がすことができる。
したがって、従来のように、土台上面から基礎の下端部まで延びる深い孔や、基礎の側面に切欠きを形成することなく、連結金具１を介して基礎１０に柱１５を容易かつ確実に連結できる。
【００３５】
また、連結金具１のビス孔７，７にビス１９，１９を挿通して柱１５の下端面にねじ込んで、柱１５を連結金具１に固定することによって、柱１５をより強固に連結金具１に固定できるととともに、接着剤１７が硬化するまで間、柱１５を連結金具１に仮固定しておくことができる。
さらに、柱支持ボルト１６の下端部に螺合しているナット１８を締め付けてら連結金具１の上壁２ｂの下面に当接させることによって、柱支持ボルト１６を強固に連結金具１に固定できる。
【００３６】
なお、本実施の形態では、土台１１の上面に固定された柱と、基礎１０とを連結金具によって連結する場合を例にとって説明したが、基礎１０に直接柱を立設し、この柱と基礎とを連結するようにしてもよい。
【００３７】
また、本実施の形態では、連結金具１を使用したが、図６に示すような連結金具４０を使用してもよい。
この連結金具４０は、金具本体４２、アンカー挿通孔４３、ねじ孔４４、開口部４５、スリット部４６、ビス孔４７，４７を備えている。
【００３８】
金具本体４２は、平行に対向配置された側板４２ａ，４２ａと、この側板４２，４２ａの上端部に設けられた上板（上壁）４２ｂと、側板４２ａ，４２ａの下端部に設けられた底板（底壁）４２ｃとから構成されており、側板４２ａ，４２ａと上板４２ｂ、側板４２ａ，４２ａと底板４２ｃとはそれぞれ溶接によって接合されている。上板４２ｂの前後端部はそれぞれ下方に向けて折曲されており、この折曲した部分が側板４２ａ，４２ｂの前端面と後端面とにそれぞれ当接されている。また、下板４２ｃの前後端部はそれぞれ上方に向けて折曲されており、この折曲した部分が側板４２ａ，４２ｂの前端面と後端面とにそれぞれ当接されている。
【００３９】
このような金具本体４２は、その前面が開口しており、この開口部４５からスパナやレンチ、ドライバー等の工具を金具本体４２内に挿入できるようになっている。
前記アンカー挿通孔４３は、金具本体４２の底板４２ｃの中央部に円形状に形成された孔である。前記ねじ孔４４は、金具本体２の上板４２ｂの中央部に円形状に形成されたねじ孔であり、前記アンカー挿通孔４３とほぼ同径に形成され、同軸に配置されている。
前記スリット部４６は、前記上板４２ｂに形成されて、前記ねじ孔４４から上板４２ｂの、前記開口部４５側の縁部まで延在するものである。
前記ビス孔４７，４７は、前記上板４２ｂに形成されたもので、前記ねじ孔４４を挟んで、上板４２ｂの対角方向に対称的に配置されている。
【００４０】
このような構成の連結金具４０は、前記連結金具１と同様にして使用され、連結金具１と同様の効果を得ることができる他、金具本体４２の側板４２ａと、上板４２ｂ、下板４２ｃが別体であるので、側板４２ａの高さを変更することによって、連結金具４０の高さを容易に変更できる。
【図面の簡単な説明】
【００４１】
【図１】本発明に係る連結金具の一例を示すもので、その斜視図である。
【図２】本発明に係る基礎と柱の連結構造の一例を示すもので、その縦断面図である。
【図３】同、図２におけるＡ−Ａ線断面図である。
【図４】同、図２におけるＢ−Ｂ線断面図である。
【図５】同、基礎に連結した柱に制振装置を取り付けた状態を示す正面図である。
【図６】本発明に係る連結金具の他の例を示すもので、その斜視図である。
【符号の説明】
【００４２】
１，４０  連結金具
２，４２  金具本体
３，４３  アンカー挿通孔
４，４４  ねじ孔
５，４５  開口部
６，４６  スリット部
７，４７  ビス孔
１０  基礎
１１  土台
１２  アンカーボルト（アンカー）
１５  柱
１５ａ  柱孔
１６  柱支持ボルト
１７  接着剤
１８  ナット
１９  ビス
【図１】
2008175020.tif 000003
【図２】
2008175020.tif 000004
【図３】
2008175020.tif 000005
【図４】
2008175020.tif 000006
【図５】
2008175020.tif 000007
【図６】
2008175020.tif 000008